(57)【要約】【課題】  読み取りミスにより生じた無駄なファイルが情報処理装置内で蓄積されないようにするための手法を備えた画像読取装置の提供及びそのような画像読取装置をもつ画像形成装置の提供すること。【解決手段】スキャナ部を含む部材を操作するための操作指示を入力するためのタッチパネルなどの表示操作支持部を備えた画像読取装置であって，この画像読取装置は前記スキャナ部で読み取った画像ファイルを外部の情報処理装置に送信する送信機能と，前記外部の情報処理装置との間でネットワークを確立して前記部の情報処理装置に送信した画像ファイルについての予め定められた処理を行うプッシュ機能とを少なくとも備えていると共に，前記表示操作指示部から入力された予め定められた所定の操作指示に従って，前記プッシュ機能に基づき前記外部の情報処理装置に送信した画像ファイルの削除を指示する画像読取装置。【選択図】図３
2011066853.tif 000002
【特許請求の範囲】
【請求項１】
画像を読み取るスキャナ部と，
前記スキャナ部を含む部材を操作するための操作情報を表示すると共に，前記スキャナ部を含む部材を操作するための操作指示を入力するための表示操作指示部と，
前記表示操作指示部からの操作指示に基づいて，前記スキャナ部などを制御する制御部とを備え，
前記制御部は，少なくとも前記スキャナ部で読み取った画像ファイルを外部の情報処理装置に送信する送信機能と，前記外部の情報処理装置との間でネットワークを確立して前記部の情報処理装置に送信した画像ファイルについての予め定められた処理を行うプッシュ機能とを少なくとも備えてなる画像読取装置であって，
前記制御部は，前記表示操作指示部から入力された予め定められた所定の操作指示に従って，前記プッシュ機能に基づき前記外部の情報処理装置に送信した画像ファイルの削除を指示するものである画像読取装置。
【請求項２】
前記表示操作指示部が誤送信ファイル削除ボタンを表示するものであり，前記制御部は，前記誤送信ファイル削除ボタンが押されたことに応じて，前記プッシュ機能にも基づき，前記外部の情報処理装置に送信した画像ファイルの削除を指示するものである請求項１に記載の画像読取装置。
【請求項３】
前記スキャナ部を操作するためのスキャン条件を記憶するスキャン条件記憶部を備え，
前記制御部は，前記送信機能に基づく前記外部の情報処理装置への画像ファイルの送信が行われた時に，当該送信と１回前に行われた送信の各画像ファイルのスキャン条件を前記スキャン条件記憶部から読み出して比較し，両者が異なる場合には，前記誤送信ファイル削除ボタンを前記表示操作指示部に表示するものである請求項２に記載の画像読取装置。
【請求項４】
外部の情報処理装置に送信した画像ファイルのスキャン条件が誤ったものであると判断した場合に該誤ったスキャン条件を記憶する誤条件記憶部を備え，
前記制御部は，前記送信機能に基づく前記外部の情報処理装置への画像ファイルの送信が行われた時に，当該送信と１回前に行われた送信の各画像ファイルのスキャン条件を前記スキャン条件記憶部から読み出して比較し，両者が異なる場合には，１回前に行われた送信の各画像ファイルのスキャン条件を前記誤条件記憶部に記憶されたスキャン条件と比較し，１回前に行われた送信の各画像ファイルのスキャン条件が前記誤条件記憶部に記憶されたスキャン条件と同じであると判断された場合には自動的に，あるいは前記誤送信ファイル削除ボタンを前記表示操作指示部に表示し，該前記誤送信ファイル削除ボタンが押されたことに応じて，１回目に行われた送信に係る画像ファイルを前記外部情報処理装置から削除するものである請求項２あるいは３のいずれかに記載の画像読取装置。
【請求項５】
同一のスキャン条件に基づくスキャンが行われたにもかかわらず誤送信ファイル削除ボタンが押されない回数をカウントするカウンタと，
画像ファイルのスキャン条件を前記誤条件記憶手段から削除するべく前記表示操作指示部に表示される登録条件削除指示ボタンとを更に備え，
前記制御部は，前記送信機能に基づく前記外部の情報処理装置への画像ファイルの送信が行われた時に，当該送信と１回前に行われた送信の各画像ファイルのスキャン条件を前記スキャン条件記憶部から読み出して比較し，両者が異なり，且つ前記表示操作指示部に表示された誤送信ファイル削除ボタンが押されない場合には前記カウンタに１を加算し，前記カウンタに記憶されたスキャン回数が予め定められた所定回数に達したか否かを判断し，達していると判断された場合には，自動的に，もしくは前記登録条件削除指示ボタンが押されたことに応じて，１回目に行われた送信に係る画像ファイルのスキャン条件を前記誤条件記憶手段から削除し，誤送信ファイル削除ボタンが押された場合には１回目に行われた送信に係る画像ファイルを前記外部情報処理装置から削除するものである請求項４に記載の画像読取装置。
【請求項６】
前記請求項１〜５のいずれかの画像読取装置を備えた画像形成装置。
【発明の詳細な説明】
【技術分野】
【０００１】
本発明は，画像読取装置側でスキャン（読み取り）を行って，その画像を情報処理装置に送る場合，スキャン条件が間違っていたために，情報処理装置に無駄な情報が蓄積されることを防止することの出来る画像読取装置及びそのような画像読取装置を備えた画像形成装置に関するものである。
【背景技術】
【０００２】
画像読取装置側でスキャン（読み取り）を行って，その画像を情報処理装置に送り，そこでその画像を処理する場合に，例えば特許文献１に記載されたスキャンデータの保存方法では，情報処理装置にオペレーションシステムとスキャンデータ受信用ソフトウエアが格納されており，上記スキャンデータ受信用ソフトウエアは，画像読取装置から情報処理装置にスキャンデータが送られてきた場合には，それを受信して，予め情報処理装置に登録されているスキャンデータ格納フォルダに格納させるものである。
その場合，画像のスキャン（読取）条件として，ユーザは後の処理に便利なものを採用することが多い。逆に言えば，ユーザは種々の任意のスキャン条件を設定して画像の読み取りを行うために，スキャン条件を間違うことも多く発生する。そのようにユーザが意図したスキャン条件でない設定，たとえば意図していない解像度やファイルフォーマットで読み取り処理を行い，そのデータを情報処理装置に送信したことにユーザが気づく場合があるが，その場合，意図していないスキャン条件で読み取った画像ファイルは情報処理装置側で削除するのが一般的である。しかし，忙しいユーザはつい削除を忘れてしまうことで無駄なファイルが情報処理装置のフォルダに蓄積されてしまうという問題がある。
一方，ネットワークに対して接続可能であり，読み取った画像データを自らがネットワークを介して情報処理装置に送信できるプッシュ型スキャナ装置が，広く知られている。
このようなプッシュ型スキャナ装置として例えば特許文献２に記載のスキャナ装置は，画像読取手段と，前記画像読取手段で読み取った画像ファイルを所定のファイル形式に整えてファイル名を付すファイル作成手段と，この画像ファイルを送信すべき情報処理装置側のアドレスを指定する指定手段と，前記ファイル作成手段によって作成されたファイルを前記指定手段で指定されたアドレスに対して，ネットワークを介して送信して格納する手段とを含んでいる。
また，特許文献３には，ネットワークを介して画像データを送信可能なプッシュ型スキャナ装置であって，セットされた原稿を読取り，原稿に記載されている画像を画像データとして出力する原稿読取手段と，この装置をネットワークと接続するためのネットワーク接続用インターフェースと，ネットワークを介して送信するときの送信先を特定するためのアドレスを指定するアドレス指定手段と，アドレス指定手段によりアドレスが指定されたことに応答して，そのアドレスへ送信するメールを作成するメール作成手段と，アドレス指定手段によるアドレス指定に関連づけて，前記原稿読取手段によって原稿が読取られると，読取られた原稿の画像データを前記メール作成手段が作成するメールの添付ファイルとして作成する添付ファイル作成手段と，前記作成されたメールおよびその添付ファイルを，ネットワーク接続用インターフェースからネットワークへ出力する送信実行手段と，を含むことを特徴とするプッシュ型スキャナ装置が開示されている。
このような外部の情報処理装置との間でネットワークを確立して前記部の情報処理装置に送信した画像ファイルについての予め定められた処理を行うプッシュ機能を備えたスキャナ装置としては，上記特許文献２や３以外にも特開２００１‐０４５１９２号公報，特開２００４‐２６６５５９号公報，特開２００４‐２６６５５９号公報，特開２００７‐１５０５６７号公報，特開２００２‐２８１２１１号公報，特開２００２‐０７３５１０号公報そのほか多くの実例が知られている。
このようにプッシュ型スキャナ装置は，既に周知の技術であるのでここではその詳細は説明しない。
【先行技術文献】
【特許文献】
【０００３】
【特許文献１】特開２００２−７７１７７号公報
【特許文献２】特開２００７‐２０８９１４号公報
【特許文献３】特開２００２‐０７７５０４号公報
【発明の概要】
【発明が解決しようとする課題】
【０００４】
従って，本発明は上記したような読み取りミスにより生じた無駄なファイルが情報処理装置内で蓄積されないようにするための手法を備えた画像読取装置の提供及びそのような画像読取装置をもつ画像形成装置の提供を目的として創作されたものである。
【課題を解決するための手段】
【０００５】
上記目的を達成するために本発明にかかる画像読取装置は，画像を読み取るスキャナ部と，前記スキャナ部を含む部材を操作するための操作情報を表示すると共に，前記スキャナ部を含む部材を操作するための操作指示を入力するための表示操作指示部と，前記表示操作指示部からの操作指示に基づいて，前記スキャナ部などを制御する制御部とを備え，前記制御部は，少なくとも前記スキャナ部で読み取った画像ファイルを外部の情報処理装置に送信する送信機能と，前記外部の情報処理装置との間でネットワークを確立して前記部の情報処理装置に送信した画像ファイルについての予め定められた処理を行うプッシュ機能とを少なくとも備えてなる画像読取装置であって，前記制御部は，前記表示操作指示部から入力された予め定められた所定の操作指示に従って，前記プッシュ機能に基づき前記外部の情報処理装置に送信した画像ファイルの削除を前記外部の情報処理装置に指示するものである画像読取装置として構成されている。
このような場合，前記表示操作指示部が誤送信ファイル削除ボタンを表示するものであり，前記制御部は，前記誤送信ファイル削除ボタンが押されたことに応じて，前記プッシュ機能にも基づき，前記外部の情報処理装置に送信した画像ファイルの削除を指示するものであってもよい。
更に，前記スキャナ部を操作するためのスキャン条件を記憶するスキャン条件記憶部を備え，前記制御部は，前記送信機能に基づく前記外部の情報処理装置への画像ファイルの送信が行われた時に，当該送信と１回前に行われた送信の各画像ファイルのスキャン条件を前記スキャン条件記憶部から読み出して比較し，両者が異なる場合には，前記誤送信ファイル削除ボタンを前記表示操作指示部に表示するものが考えられる。これにより，ユーザが上記前記誤送信ファイル削除ボタンを操作することで，前記外部の情報処理装置に記憶された画像ファイルの削除が指示される。
さらに望ましい態様としては，外部の情報処理装置に送信した画像ファイルのスキャン条件が誤ったものであると判断した場合に該誤ったスキャン条件を記憶する誤条件記憶部を備え，前記制御部は，前記送信機能に基づく前記外部の情報処理装置への画像ファイルの送信が行われた時に，当該送信と１回前に行われた送信の各画像ファイルのスキャン条件を前記スキャン条件記憶部から読み出して比較し，両者が異なる場合には，１回前に行われた送信の各画像ファイルのスキャン条件を前記誤条件記憶部に記憶されたスキャン条件と比較し，１回前に行われた送信の各画像ファイルのスキャン条件が前記誤条件記憶部に記憶されたスキャン条件と同じであると判断された場合には自動的に，あるいは前記誤送信ファイル削除ボタンを前記表示操作指示部に表示し，該前記誤送信ファイル削除ボタンが押されたことに応じて，１回目に行われた送信に係る画像ファイルを前記外部情報処理装置から削除するものが考えられる。
さらには，同一のスキャン条件に基づくスキャンが行われたにもかかわらず誤送信ファイル削除ボタンが押されない回数をカウントするカウンタと，画像ファイルのスキャン条件を前記誤条件記憶手段から削除するべく前記表示操作指示部に表示される登録条件削除指示ボタンとを更に備え，前記制御部は，前記送信機能に基づく前記外部の情報処理装置への画像ファイルの送信が行われた時に，当該送信と１回前に行われた送信の各画像ファイルのスキャン条件を前記スキャン条件記憶部から読み出して比較し，両者が異なり，且つ前記表示操作指示部に表示された誤送信ファイル削除ボタンが押されない場合には前記カウンタに１を加算し，前記カウンタに記憶されたスキャン回数が予め定められた所定回数に達したか否かを判断し，達していると判断された場合には，自動的に，もしくは前記登録条件削除指示ボタンが押されたことに応じて，１回目に行われた送信に係る画像ファイルのスキャン条件を前記誤条件記憶手段から削除し，誤送信ファイル削除ボタンが押された場合には１回目に行われた送信に係る画像ファイルを前記外部情報処理装置から削除するものである場合が考えられる。
上記した画像読取装置は複合複写機，ファクシミリ装置そのほかの画像形成装置に適合される。
【発明の効果】
【０００６】
本発明は以上述べたように構成されているので，読み取りミスにより生じた無駄なファイルが情報処理装置内で蓄積されない画像読取装置を提供することができる。
【図面の簡単な説明】
【０００７】
【図１】本発明の一実施形態にかかる画像形成装置の制御系統を示すブロック図。
【図２】一実施形態に係る画像形成装置における無駄ファイルの削除処理手順を示すフローチャート。
【図３】一実施形態に係る画像形成装置における無駄ファイルの削除処理手順を示すフローチャート。
【図４】一実施形態に係る画像形成装置における無駄ファイルの削除処理手順を示すフローチャート。
【発明を実施するための形態】
【０００８】
以下，添付した図面を参照して，本発明を具体化した実施形態について説明し，本発明の理解に供する。本発明にかかる画像読取装置は，スキャナ単体として構成されることもあるが，以下の実施形態に記載のようにファクシミリ機能などを備える複合型画像形成装置の一部を占めるスキャナ部として構成され，あるいはファクシミリ装置の一部としてのスキャナとして構成されることもある。
この実施形態にかかる画像形成装置１は，複合型複写機であり，図１に示されるように，制御部ＣＰＵを中心に構成され，該制御部ＣＰＵには，画像形成処理に必要な種々の指示を入力するための入力部３と，表示部５を備えたタッチパネルなどの表示操作指示部７，感光体，帯電部，定着部などの機器を備えて画像形成動作を行う画像形成部９，画像を読み取るスキャナ部１１，更には，後記するスキャナ部を操作するためのスキャン条件を記憶するスキャン条件記憶部１３，
外部の情報処理装置に送信した画像ファイルのスキャン条件が誤ったものであると判断した場合に該誤ったスキャン条件を記憶する誤条件記憶部１４，同一のスキャン条件に基づくスキャンが行われたにもかかわらず誤送信ファイル削除ボタンが押されない回数をカウントするカウンタ１５，送信ファイル名記憶部１７などが，接続されて構成されている。
また上記制御部ＣＰＵには，送受信部１９を介して外部の情報処理装置が接続されている。
なお，上記スキャン条件記憶部１３，カウンタ１５，送信ファイル名記憶部１７は別々の記憶部であっても，あるいは兼用された1つあるいは複数の記憶部であっても差し支えない。上記制御部ＣＰＵが，前記表示操作指示部７からの操作指示に基づいて，前記スキャナ部１１などを制御する制御部の一例である。
また，上記表示操作指示部７は，種々のキーボードとモニタや，前記タッチパネルのようなものであってもよく，あるいは，表示部５と入力部３が別体のものであっても，一体のものであっても差し支えない。
この実施形態では，表示操作指示部７が，表示部と入力部を兼ねた誤送信ファイル削除ボタン５ａ，スキャン条件削除指示ボタン５ｂ及び送信確定ボタン５ｃを表示する。誤送信ファイル削除ボタン５ａ及びスキャン条件削除指示ボタン５ｂの詳細は後述される。この表示操作指示部７が，前記スキャナ部１１を含む部材を操作するための操作情報を表示すると共に，前記スキャナ部１１を含む部材を操作するための操作指示を入力するための本発明における表示操作指示部の一例である。
【０００９】
前記制御部ＣＰＵは，少なくとも前記スキャナ部１１で読み取った画像ファイルを送受信部２１を経て，外部の情報処理装置２３に送信する送信機能と，前記外部の情報処理装置２３との間でネットワークを確立して前記外部の情報処理装置２３に送信した画像ファイルについての予め定められた処理を行う前記周知のプッシュ機能とを少なくとも備えてなるものである。
以下上記制御部ＣＰＵが行う送信機能と，プッシュ機能とに基づく処理について図２以下のフローチャートを参照して説明する。なお，以下の説明中，Ｓ１，Ｓ２，…は，制御部ＣＰＵが行う処理手順（ステップ）の識別符号である。
まず，前記制御部ＣＰＵが，前記表示操作指示部７から入力された予め定められた所定の操作指示に従って，前記プッシュ機能に基づき前記外部の情報処理装置に送信した画像ファイルの削除を指示する場合の処理について説明する。
【００１０】
この手順は，図２（ａ）に示すように，画像形成装置１において，そのスキャナ部１１を用いて画像の読み取りが行われ，読み取られた画像ファイルがネットワークを通じて前記送受信部２１から外部の情報処理装置２３に送信されたところから始まる（Ｓ１）。送信が実行されると制御部ＣＰＵは送信した画像ファイルの名前を送信ファイル名記憶部１７に記憶する（Ｓ２）。
続いて制御部ＣＰＵは，前記表示操作指示部７に図１に示す送信確定ボタン５ｃと，誤送信ファイル削除ボタン５ａとを表示すると共に，送信確定ボタン５ｃが押されたかどうかを判断する（Ｓ３）。
この実施形態では誤送信ファイル削除ボタン５ａおよび送信確定ボタン５ｃが，前記送信処理が終わると自動的に表示操作指示部７に表示されるものとして扱っているが，これらのボタンは。当初から表示されているものとして扱ってもよい。
送信確定ボタン５は，送信を行ったユーザが，送信した画像ファイルのスキャン条件が満足できるものであった場合に，押されるものである。
従って，送信確定ボタン５ｃが押されない場合（Ｓ３においてＮＯ）には，誤送信ファイル削除ボタン５ａが押されたかどうかを判断する（Ｓ４）。
ここで誤送信ファイル削除ボタン５ａが押されたと判断される場合には，制御部ＣＰＵは，Ｓ２で取得され送信ファイル名記憶部１７に記憶された送信ファイル名を読み取って（取得して）（Ｓ５），送信ファイル名をネットワークを介して外部の情報処理装置２３に送信（通知）する（Ｓ６）。このように送信ファイル名をネットワークを介して情報処理装置２３に送信する機能が，プッシュ機能の一例である。
【００１１】
外部の情報処理装置２３では，送信ファイル名を画像形成装置１から受信すると，図２（ｂ）に示されるように，そのファイル名の付いた画像ファイルを自己の記憶領域において検索し，画像ファイルが見つかると，その画像ファイルを削除する。このような画像ファイルを発見する処理及び画像ファイルを削除する処理は，前記プッシュ機能の一部として，複合画像形成装置１が行ってもよく，あるいは，情報処理装置２３が，インストールされたスキャンデータ受信用ソフトウエアの機能として実行してもよい。いずれの場合も，本願では，前記制御部ＣＰＵが，前記表示操作指示部７から入力された予め定められた所定の操作指示（送信ファイル削除ボタン押下の処理など）に従って，前記プッシュ機能に基づき前記外部の情報処理装置に送信した画像ファイルが削除される。
【００１２】
また，前記Ｓ３において，送信確定ボタン５ｃが押されたと判断された場合，および，Ｓ４において誤送信ファイル削除ボタン５ａが押下されなかったと判断された場合には，制御部ＣＰＵはＳ２で保存した送信ファイル名を削除する。
このようにして，前記制御部ＣＰＵが，前記表示操作指示部７に設けられた誤送信ファイル削除ボタン５ａの押下の処理に従って，前記プッシュ機能に基づき前記外部の情報処理装置２３に送信した画像ファイルが削除される。これによって，ユーザが意図していなかったスキャン条件に基づいて読み取られた画像ファイルが，いつまでも情報処理装置２３側に保存され続けることがなくなり，情報処理装置２３の記憶領域が無駄に占領されて使えなくなるといった不都合が解消される。
【００１３】
上記実施形態では，スキャナ部１１によって読み取られた画像ファイルの送信が行われた後に，ユーザによって，送信された画像ファイルの削除が判断されるものであったが，このような判断は，１回目の画像ファイルの送信が行われた後，その次の画像ファイルの送信が行われた時に判断されるものであってもよい。また，誤ったスキャン条件を記憶しておいて，それらと同じ条件でスキャンが行われたかどうかを判断して，もし誤った条件によるスキャンが行われた場合には，自動的にあるいはファイルの削除を指示するボタンが押されたことを条件に誤ったスキャンによる送信ファイルを削除するようなものでも良い。以下の実施形態は，そのような場合に沿ったものであるが，必ずしもファイルの削除を指示するボタンが押されたことを条件に誤ったスキャンによる送信ファイルを削除するようなものでなくても良い。即ち，誤ったスキャン条件を記憶しておいて，それらと同じ条件でスキャンが行われた場合には，自動的に送信されたファイルを削除するようなものでもよい。
図３は，誤ったスキャン条件を記憶しておいて，それらと同じ条件でスキャンが行われたかどうかを判断して，もし誤った条件によるスキャンが行われた場合には，ファイルの削除を指示するボタンが押されたことを条件に誤ったスキャンによる送信ファイルを削除する場合に対応した手順を示す。
前提条件は図２に示した実施形態の場合と同様であるが，この場合には前記のようにあるファイル送信の後に別のファイル送信が行われた場合（Ｓ１１）である。
スキャンの条件は，毎回スキャン条件記憶部１３に記憶されており，前回のスキャン条件と今回のスキャン条件が比較される（Ｓ１２）。
ここで両条件が一致しない場合（Ｓ１３でＮＯ）には，制御部ＣＰＵは，誤条件記憶部１３に記憶された過去のスキャン誤条件と今回のスキャン条件を比較する（Ｓ１４）。条件が一致（Ｓ１４でＹＥＳ）した場合には，誤送信ファイ削除ボタン５ａを表示操作指示部７に表示する（Ｓ１５）。
前回のスキャン条件と今回のものが異なる場合には，ユーザが間違ったスキャン条件に気づいて別のスキャン条件を設定して画像を読み込み，送信した可能性が高い。そこで，ユーザに前回の送信ファイルを削除するかどうかを問い合わせる意味で，制御部ＣＰＵは，誤送信ファイル削除ボタン５ａを表示するのである。
ユーザによってこの誤送信ファイル削除ボタン５ａが押された（Ｓ１６でＹＥＳ）場合には，制御部ＣＰＵは，送受信部２１を介してネットワークから送信ファイル名を削除する旨の通知を外部情報処理装置２３に送信する（Ｓ１７）と共に，誤送信のスキャン条件を誤条件記憶部１４に記憶あるいは上書きする（図示省略）。
ここまでの処理で，Ｓ１４による登録された誤条件と前回の条件が一致する場合には，後続するＳ１５以下の処理を省略して，Ｓ１７にジャンプし，自動的にファイルを削除するような処理も可能である。
送信ファイル名を受信した後の外部情報処理装置２３側の処理内容は，前記図２に示したものと同じであるのでここでは説明を省略する。
なお，前回のスキャン条件と今回のスキャン条件が一致する場合（Ｓ１３でＹＥＳ），あるいは，誤送信ファイル削除ボタン５ａが押下されなかった場合（Ｓ１６でＮＯ），さらには登録された誤条件と一致しない場合（Ｓ１４でＮＯ）には，前回の送信ファイルが間違いではなかった可能性が高いので，制御部ＣＰＵは，表示操作指示部７に今回のスキャンについてのスキャン条件をスキャン条件記憶部１３に記憶すること及び送信ファイル名を保存することを行い（Ｓ１８）処理を終了する。
【００１４】
ところで，なんども同じ登録条件によるスキャンが行われたにもかかわらず，そのスキャン条件による送信が誤送信ではないと判断された場合には，誤送信であったかと疑われたスキャン条件が実際には有効な条件であった可能性が高い。従って，そのような実際には有効なスキャン条件についてなんども問い合わせが行われるのは，その都度誤送信でないかどうかをユーザが判断する手間が無駄である可能性が高いので，その有効なスキャン条件についてはスキャン条件記憶部１３における記憶から削除させることが望ましい。
そこで次に述べる図４に示す処理では，一度スキャン条件記憶部１３に記憶されたスキャン条件を削除させる処理が加わっている。
即ち，ファイル送信が行われた後に，スキャン条件について前後の送信における同一性を確認して一致する場合には登録された誤スキャン条件と一致するかの判断（図示省略）を行い，誤スキャン条件と一致する場合には，誤送信ファイル削除ボタン５ａを表示する処理（Ｓ１１〜Ｓ１５）については前記図３に示した場合と同じである。そのため，同じステップ符号を使用し，説明を省略する。
ここでは，Ｓ１５で誤送信ファイル削除ボタン５ａが押されなかった場合（Ｓ１５でＮＯ）の処理Ｓ２６から説明する。
この場合には，前記カウンタ１５の値に１を加算する（カウントアップ）。
そして制御部ＣＰＵはカウンタ１５の値を予め定められた所定回数と比較し（Ｓ２７），それ以上になったかどうかを判断する。所定回数は例えば３回などである。
ここでカウンタ１５の値が前記所定回数以上である場合（Ｓ２７でＹＥＳ）には，なんども同じスキャン条件が不適切なスキャン条件と疑われたにもかかわらずそのスキャンが維持されているのであるから，疑われたスキャン条件が実は適切なものであったと推測できる，そこで，制御部ＣＰＵは，表示操作指示部７にスキャン条件削除指示ボタン５ｂを表示する（Ｓ２８）。
ここでスキャン条件削除指示ボタン５ｂが押された場合（Ｓ２９でＹＥＳ）には，制御部ＣＰＵは，それまでスキャン条件記憶部１３に記憶されていたスキャン条件が不適切なものではないことを表しているので，スキャン条件記憶部１３に記憶されていたスキャン条件を削除する（Ｓ３０）。
前記したようにカウンタ１５が所定値を超えた場合には，スキャン条件削除指示ボタン５ｂを表示することなく，処理を自動的に後記Ｓ３０に処理を進めて，登録条件を削除するようにする自動処理を採用しても良い。
また，前後のスキャン条件が同一である場合（Ｓ１３でＹＥＳ）に今回のスキャン条件を改めて保存すると共に送信ファイル名を保存する処理については，図３の場合と同様である。また，カウンタ１５の値が所定数に達していない場合（Ｓ２６でＮＯ），スキャン条件削除指示ボタン５ｂが押されなかった場合（Ｓ２９でＮＯ），及びスキャン条件の削除が行われた後にも今回のスキャン条件を改めて保存すると共に送信ファイル名を保存する（Ｓ３１）。
さらに，Ｓ１５において誤送信ファイル削除ボタン５ｂが押された（Ｓ１５でＹＥＳ）場合には，制御部ＣＰＵは，送受信部２１を介してネットワークから送信ファイル名を削除する旨の通知を外部の情報処理装置２３に送信する（Ｓ３２）点及び誤送信のスキャン条件を誤条件記憶部１４に記憶する点（図示省略）についても図３と同様である。
【産業上の利用可能性】
【００１５】
上記したように，この発明は，スキャナなどの画像読込装置あるいはこれを装着した画像形成装置，更にはファクシミリなどに適用可能である。
【符号の説明】
【００１６】
１…画像形成装置
９…画像形成部
７…表示操作指示部
１１…スキャナ部
１３…スキャン条件記憶部
１４…誤条件記憶部
１５…カウンタ
１７…送信ファイル名記憶部
【図２】
2011066853.tif 000003
【図３】
2011066853.tif 000004
【図４】
2011066853.tif 000005
【図１】
2011066853.tif 000006